(57)【要約】　　　（修正有）【課題】下向きになっているリップ溝形鋼の背面（上面）側に配線等の長尺物を安定して載置できる取付け具を得る。【解決手段】リップ溝形鋼（１６）の背辺（１６ａ）に沿う上辺（１８ａ）、一方の側辺（１６ｂ）に沿う側辺（１８ｂ）及び一方のリップ辺（１６ｃ）に沿う下辺（１８ｃ）を連続して有するコ字状の主体（１８）を設け、主体の短手方向両側に内方に突出するフランジ（１９）を設けるとともに、下辺の両側に設けた下部フランジ（１９ｂ）にリップ溝形鋼の一方のリップ辺が係合するフック部（２０）を形成し、主体の両端部にねじ孔（２１，２２）を形成するとともに、各ねじ孔間に複数の係止孔（２３）を形成する。【選択図】　　　　図２
2004019815.tif 000002
【特許請求の範囲】
【請求項１】
リップ溝形鋼（１６）の背辺（１６ａ）に沿う上辺（１８ａ）、一方の側辺（１６ｂ）に沿う側辺（１８ｂ）及び一方のリップ辺（１６ｃ）に沿う下辺（１８ｃ）を連続して有するコ字状の主体（１８）を設け、前記主体（１８）の短手方向両側に内方に突出するフランジ（１９）を設けるとともに、前記下辺（１８ｃ）の両側に設けた下部フランジ（１９ｂ）にリップ溝形鋼（１６）の一方のリップ辺（１６ｃ）が係合するフック部（２０）を形成し、前記主体（１８）の両端部にねじ孔（２１，２２）を形成するとともに、各ねじ孔（２１，２２）間に複数の係止孔（２３）を形成したことを特徴とするリップ溝形鋼用取付け具。
【請求項２】
主体（１８）の上辺（１８ａ）の外端部に形成したねじ孔（２１）にＬ形のブラケット（２７）を着脱可能に起立固定し、該ブラケット（２７）の起立片（２７ａ）に縦杆（３１）を着脱可能に起立固定したことを特徴とする請求項１記載のリップ溝形鋼用取付け具。
【発明の詳細な説明】
【０００１】
【発明の属する技術分野】
本発明は、例えば、建築物の鉄骨支柱に水平配置して取付けられたリップ溝形鋼に、電線物あるいは配管物等の長尺物を係止する取付け具に関するものである。
【０００２】
【従来の技術】
従来の技術として、図７、図８に示すものがあった。図７において、１はリップ溝形鋼用の取付け具であり、長方形状の主板２の短手方向両側に下方に突出するフランジ３を形成し、該フランジ３の両端部に外端が開口する係合溝４を形成し、上記主板２の右端部にねじ孔５を、該主板２の内周部に複数の円形孔６、及び長孔７を形成する。
【０００３】
図８は上記取付け具１を介してリップ溝形鋼８に電線管９を取り付けたものである。図８において、８は建築物の鉄骨支柱９に取付けられた外壁支持用のリップ溝形鋼であり、下向きにかつ水平に配置して取り付けられている。このリップ溝形鋼８に上記取付け具１を取り付ける際には、該取付け具１を上下逆向きにしてその左右の係合溝４，４を上記リップ溝形鋼８の左右のリップ辺８ａ，８ａに嵌合させ、主板２のねじ孔５に下方からボルト１１をねじ込み、その先端（上端）で左部のリップ辺８ａを下方から押圧する。これにより上記ボルト１１と左部の係合溝４の上辺とで左部のリップ辺８ａを挟持し、取付け具１をリップ溝形鋼８に固定する。
【０００４】
次いで２個一対の円弧状の挟持具１２，１２を互いに対面させてその脚部（上端）を主板２の円形孔６に係合させ、各挟持具１２，１２間に電線管９を挿通した後、各挟持具１２，１２の下端部をボルト・ナット１３により対面方向に引き寄せて上記電線管９を挟持する。これにより、上記電線管９を挟持具１２，１２、及び取付け具１を介してリップ溝形鋼８に係止する。１０は上記電線管９内に挿通した被覆電線である。
【０００５】
【発明が解決しようとする課題】
上記従来の取付け具１は、リップ溝形鋼８の開口側に取り付けるようになっているため、電線管９がリップ溝形鋼８の下面側で懸垂支持され、該電線管９がリップ溝形鋼８から垂れ易く、安全性が乏しくなる。本発明は上記不具合を解消した新規なリップ溝形鋼用取付け具を得ることを目的とする。
【０００６】
【課題を解決するための手段】
本発明は、上記目的を達成するために以下の如く構成したものである。即ち、請求項１に係る発明は、リップ溝形鋼の背辺に沿う上辺、一方の側辺に沿う側辺及び一方のリップ辺に沿う下辺を連続して有するコ字状の主体を設け、前記主体の短手方向両側に内方に突出するフランジを設けるとともに、前記下辺の両側に設けた下部フランジにリップ溝形鋼の一方のリップ辺が係合するフック部を形成し、前記主体の両端部にねじ孔を形成するとともに、各ねじ孔間に複数の係止孔を形成する構成にしたものである。
また、請求項２に係る発明は、上記主体の上辺の外端部に形成したねじ孔にＬ形のブラケットを着脱可能に起立固定し、該ブラケットの起立片に縦杆を着脱可能に起立固定ししたものである。
【０００７】
【発明の実施の形態】
以下、本発明の実施の形態を図面に基いて説明する。図面において、図１は本発明の実施例を示す断面図、図２は図１の要部拡大断面図、図３は本発明による取付け具の断面図、図４は図３の平面図、図５は図３のＶ−Ｖ断面図、図６は縦杆の斜視図である。
【０００８】
図１〜図２において、１５はＨ形鋼からなる建物の鉄骨支柱、１６は上記鉄骨支柱１５の側辺に固定された外壁支持用のリップ溝形鋼である。該リップ溝形鋼１６は下向きにかつ水平に配置され、上記鉄骨支柱１５の側面に上下に所定の間隔をおいて固定されている。上記リップ溝形鋼１６に取付け具１７、縦杆３１を介して配線・配管等の長尺物３５、３５’を係止する。
【０００９】
上記取付け具１７は鋼板材により図２〜図５に示すように形成されている。即ち、上記リップ溝形鋼１６の背辺１６ａに沿う上辺１８ａ、一方の側辺１６ｂに沿う側辺１８ｂ及び一方のリップ辺１６ｃに沿う下辺１８ｃを連続して有する異形コ字状の主体１８を形成するとともに、該主体１８の短手方向両側に内方に突出するフランジ１９を形成する。このフランジ１９は主体１８の上辺１８ａ及び側辺１８ｂの両側に形成する周フランジ１９ａ、及び主体１８の下辺１８ｃに形成する下部フランジからなり、周フランジ１９ａは等幅で短く突出させ、該周フランジ１９ａにより、主体１８の曲げ剛性を高くするとともに、取付け具１７をリップ溝形鋼１６に取り付けた際に、上記主体１８とリップ溝形鋼１６の外面との間に所定の間隙を発生させる。
【００１０】
また、上記下部フランジ１９ｂは大きく内方（図２において上方）に突出させ、該下部フランジ１９ｂの基部にスリット１９ｃを形成し、該下部フランジ１９ｂ及びスリット１９ｃによりリップ溝形鋼１６の一方（図２おいて右部）のリップ辺１６ｃが係合するフック部２０を形成する。
【００１１】
上記主体１８の両端部、即ち、上辺１８ａの左端部と下辺１８ｃの基部とにねじ孔２１，２２を形成する。なお、上記下辺１８ｃ側のねじ孔２２は前述したフック部２０の直下方に形成する。また、上記主体１８に複数の係止孔２３を形成する。即ち、上辺１８ａに２個の等径の上部係止孔２３ａ，２３ｂを、側辺１８ｂに大小３個の側部係止孔２３ｃ〜２３ｅを、下辺１８に１個の下部係止孔２３ｆをそれぞれ形成する。なお、上記各係止孔２３ａ〜２３ｆの径及び形状は係止物の種類によって適宜設定する。
【００１２】
前述した縦杆３１は、図６に示すように、開口側の各リップ辺３１ａが溝形に屈曲され、また、断面積が前述したリップ溝形鋼１６の２分の１〜３分の１となる軽量小型のリップ溝形鋼からなり、これを所定の長さ、本例では上下に配列されたリップ溝形鋼１６，１６’の間隔に略対応する長さに切断して形成する。
【００１３】
前述した取付け具１７及び縦杆３１は、図１、図２に示すようにしてリップ溝形鋼１６に取付ける。即ち、その上部及び右側部を上記リップ溝形鋼１６の上面及び右側面に沿わせ、そのフック部２０をリップ溝形鋼１６の右部のリップ辺１６ｃに係合させる。次いで、下部のねじ孔２２に止めボルト２５をねじ込み、その先端（上端）で上記リップ辺１６ｃを下方から押圧する。これにより上記止めボルト２５とフック部２０とで左部のリップ辺１６ｃを挟持し、取付け具１７をリップ溝形鋼１６に固定する。
【００１４】
次に上記取付け具１７の上辺１８ａのねじ孔２１に締結ボルト２６を介してＬ形のブラケット２７を締付け固定し、該ブラケット２７の起立辺２７ａに他の締結ボルト及び当て金２８を介して縦杆３１の下部を締付け固定し、該縦杆３１の上端部を上段側のリップ溝形鋼１６’の左側部に接近させる。また、上記上段側のリップ溝形鋼１６’の下面側に従来と同様の取付け具１を左部側でボルト１１を介して取り付ける。このとき、上記ボルト１１によりＬ形の上部ブラケット２９を下向きにして共締め固定する。そして、該上部ブラケット２９の垂下辺２９ａにボルト及び当て金３０を介して上記縦杆３１の上部を締付け固定する。
【００１５】
この状態で係止具３２，３２’を介して上記取付け具１７及び縦管３１に所定の長尺物３５，３５’、本例では配線管を係止する。即ち、取付け具１７においては、２個一対の円弧状の挟持片３２ａ，３２ａを互いに対面させてその脚部（下端）を主体１８の上部係止孔２３ａ，２３ｂに係合させ、各挟持片３２ａ，３２ａ間に電線管３５を挿通した後、各挟持片３２ａ，３２ａの上端部をボルト・ナット３２ｂにより対面方向に引き寄せて上記電線管３５を挟持する。これにより、上記電線管３５を係止具３２を介して取付け具１７、従って下部のリップ溝形鋼１６に係止する。３６は上記電線管３５内に挿通した被覆電線である。
【００１６】
また、縦杆３１においては、一対の円弧状の挟持片３２ｃ，３２ｃを脚部側で互いに連結された係止具３２’を設け、該係止具３２’をその脚部側で縦杆３１の開口部に係合させ、各挟持片３２ｃ，３２ｃ間に電線管３５’を挿通した後、各挟持片３２ｃ，３２ｃの開放側端部をボルト・ナット３２ｄにより対面方向に引き寄せて上記電線管３５’を挟持する。これにより、上記電線管３５’を係止具３２’を介して縦杆３１、従って上下のリップ溝形鋼１６’，１６間に係止する。なお、上記長尺物３５，３５’はガス管、被覆電線等であってもよく、この場合、上記係止具３２はこれらに対応するものに適宜変更する。
【００１７】
【発明の効果】
以上説明した如く、請求項１に係る発明は、取付け具を下向きになっているリップ溝形鋼の背面（上面）側に取り付けることができ、該取付け具により係止した配線等の長尺物がリップ溝形鋼の背面側で支持されることになる。このため、上記長尺部をリップ溝形鋼に安定して支持することができる。
また、請求項２に係る発明は、上記取付け具に縦管を起立固定するようにしたので、各リップ溝形鋼の上下間に縦杆を所定ピッチで配列することができ、該縦杆により、各リップ溝形鋼の上下のスペースを活用して他の長尺物を支持することができる。
【図面の簡単な説明】
【図１】図１は本発明の実施例を示す断面図である。
【図２】図１の要部拡大断面図である。
【図３】本発明による取付け具の断面図である。
【図４】図３の平面図である。
【図５】図３のＶ−Ｖ断面図である。
【図６】縦杆の斜視図である。
【図７】従来の取付け具の斜視図である。
【図８】従来の取付け具の使用状態を示す断面図である。
【符号の説明】
１５　　鉄骨支柱
１６，１６’　　リップ溝形鋼
１６ｂ　背辺
１６ｂ　側辺
１６ｃ　リップ辺
１７　　取付け具
１８　　主体
１８ａ　上辺
１８ｂ　側辺
１８ｃ　下辺
１９　　フランジ
１９ａ　周フランジ
１９ｂ　下部フランジ
１９ｃ　スリット
２０　　フック部
２１，２２　　ねじ孔
２３　　係止孔
２３ａ，２３ｂ　上部係止孔
２３ｃ〜２３ｅ　側部係止孔
２３ｆ　　下部係止孔
２５　　止めボルト
２６　　締結ボルト
２７　　ブラケット
２７ａ　起立辺
２８　　締結ボルト
２９　　上部ブラケット
２９ａ　垂下辺
３０　　締結ボルト
３１　　縦杆
３１ａ　リップ辺
３２，３２’　　係止具
３２ａ、３２ｃ　挟持片
３２ｂ，３２ｄ　ボルト・ナット
３５，３５’　　長尺物（電線管）
３６　　被覆電線
【図１】
2004019815.tif 000003
【図２】
2004019815.tif 000004
【図３】
2004019815.tif 000005
【図４】
2004019815.tif 000006
【図５】
2004019815.tif 000007
【図６】
2004019815.tif 000008
【図７】
2004019815.tif 000009
【図８】
2004019815.tif 000010